(57)【要約】    【課題】  防水機能を有する携帯用無線機に於いて、簡単に水抜きが行えると共に水抜き後確実に防水機能が復帰される様にする。    【解決手段】  防水機能を有する携帯用無線機に於いて、筐体２の底部４に、水抜き孔８を設け、該水抜き孔を筐体内部側から封止する弁体９を設け、該弁体を筐体内部に設けたスプリング１５により前記水抜き孔に押圧し、前記弁体は筐体外部から前記水抜き孔を通して押込み可能とし、前記弁体を押込むことで、前記水抜き孔により筐体内部と筐体外部とが連通する様構成した。    【選択図】          図２
2009182409.tif 000002
【特許請求の範囲】
【請求項１】
防水機能を有する携帯用無線機に於いて、筐体の底部に、水抜き孔を設け、該水抜き孔を筐体内部側から封止する弁体を設け、該弁体を筐体内部に設けたスプリングにより前記水抜き孔に押圧し、前記弁体は筐体外部から前記水抜き孔を通して押込み可能とし、前記弁体を押込むことで、前記水抜き孔により筐体内部と筐体外部とが連通する様構成したことを特徴とする携帯用無線機。
【発明の詳細な説明】
【技術分野】
【０００１】
本発明は、野外、特に降雨時に使用される等、使用条件として防水機能が要求される携帯用無線機に関するものである。
【背景技術】
【０００２】
防水機能を有する携帯用無線機では、降雨時に野外で使用される等、一般的な防水仕様の範囲内での使用の他に、実際の使用では防水仕様より更に厳しい環境下で使用される場合がある。例えば、水没、水分が付着したままの長時間放置、急激な温度変化等の環境の変化等防水機能を超えた環境下での使用、或は過度の外力の作用等により、防水機能が低下する為、水が携帯用無線機内部に浸入することがある。
【０００３】
水の浸入があった場合、携帯用無線機が防水構造となっている為、浸入した水が自然に排出されることはなく、長く携帯用無線機内に止まってしまう。この為、水の浸入があった場合は、配線基板の腐食を起し、携帯用無線機の故障を引起すことがある。従って、防水機能を有する携帯用無線機では、水抜きを可能とする構造が要求される。
【０００４】
従来の携帯用無線機に於ける、水抜き構造としては、水抜き孔を設けて、該水抜き孔を着脱可能なゴムキャップ等の封止栓により封止し、使用者の判断で封止栓を外し、水抜きを行っていた。
【０００５】
然し、斯かる水抜き構造では、使用者が水抜きを忘れることがあり、水抜きが必要とされる状況で適切な水抜きが行われないことが想定される。更に、水抜き後、封止栓の閉め忘れも考えられ、封止栓を閉め忘れると携帯用無線機の防水機能自体が損われると言う問題を有していた。
【０００６】
【特許文献１】特開２０００−３０７６９７号公報
【発明の開示】
【発明が解決しようとする課題】
【０００７】
本発明は斯かる実情に鑑み、防水機能を有する携帯用無線機に於いて、簡単に水抜きが行えると共に水抜き後確実に防水機能が復帰される様にするものであり、更に、使用者が水抜きを意識することなく、通常の使用過程で水抜きが行われる様にするものである。
【課題を解決するための手段】
【０００８】
本発明は、防水機能を有する携帯用無線機に於いて、筐体の底部に、水抜き孔を設け、該水抜き孔を筐体内部側から封止する弁体を設け、該弁体を筐体内部に設けたスプリングにより前記水抜き孔に押圧し、前記弁体は筐体外部から前記水抜き孔を通して押込み可能とし、前記弁体を押込むことで、前記水抜き孔により筐体内部と筐体外部とが連通する様構成した携帯用無線機に係るものである。
【発明の効果】
【０００９】
本発明によれば、防水機能を有する携帯用無線機に於いて、筐体の底部に、水抜き孔を設け、該水抜き孔を筐体内部側から封止する弁体を設け、該弁体を筐体内部に設けたスプリングにより前記水抜き孔に押圧し、前記弁体は筐体外部から前記水抜き孔を通して押込み可能とし、前記弁体を押込むことで、前記水抜き孔により筐体内部と筐体外部とが連通する様構成したので、任意の時期に前記弁体を押込んで筐体内部に貯溜した水を排出でき、又前記弁体の押込みを解除すると、該弁体により前記水抜き孔が閉塞され、確実に防水性が発揮されるという優れた効果を発揮する。
【発明を実施するための最良の形態】
【００１０】
以下、図面を参照しつつ本発明を実施する為の最良の形態を説明する。
【００１１】
図１は、本発明が実施された携帯用無線機１の断面を示しており、図中、内部の詳細については省略している。又、図中、２は筐体、３はアンテナを示している。
【００１２】
前記筐体２の底部４には、図２に詳細が示されている様に水封バルブ５が設けられている。
【００１３】
前記筐体２の底部４には底面４ａと所要の間隔を隔て、該底面４ａと平行に突出した庇部６が形成され、該庇部６にはガイド孔７が穿設され、前記底面４ａには水抜き孔８が穿設されている。前記ガイド孔７と前記水抜き孔８とは同一中心線上に配置され、該水抜き孔８の下端には面取加工がされている。
【００１４】
前記ガイド孔７と前記水抜き孔８とに掛渡って弁体９が中心線方向に摺動自在に設けられている。
【００１５】
図３に示される様に、前記弁体９は、中間部に形成されたフランジ部１０と、該フランジ部１０より図中上方に延出するガイド軸部１１と、前記フランジ部１０から下方に延出する棒状の弁部１２とを有し、該弁部１２には中心線と平行に所要数の溝１３が刻設され、更に該溝１３の上端と前記フランジ部１０との境界部には断面が円である封止部１４が形成されている。前記ガイド軸部１１が前記ガイド孔７に嵌合し、前記弁部１２が前記水抜き孔８に嵌合する。尚、前記弁部１２の下面は、前記筐体２の下端面より所要量、後退しており、通常運用時に誤ってバルブが開くことを防止している。
【００１６】
前記庇部６と前記フランジ部１０との間には、封止スプリング１５が挾設されている。
【００１７】
該封止スプリング１５は、図４に示される様に、上半部と下半部とに折返され、概略Ｕ字状に形成された板バネであり、前記ガイド軸部１１と干渉しない様に、切欠部１６が形成され、更に、上端には上方に屈曲する掛り部１７が形成されている。
【００１８】
前記封止スプリング１５の下端部は前記フランジ部１０に当接し、上半部は前記庇部６の下面に当接する様になっており、前記掛り部１７は前記庇部６の端面に係合して、前記封止スプリング１５の位置決めを行っている。
【００１９】
前記封止部１４にはシール部材、例えばＯリング１８が嵌設され、該Ｏリング１８は前記フランジ部１０と前記底面４ａとの間に介在し、又前記封止スプリング１５の復元力によって、前記Ｏリング１８と前記フランジ部１０、前記底面４ａとのそれぞれの間で、水の浸入を防止するに必要な面圧が発生する様になっている。尚、前記Ｏリング１８は前記封止部１４に対して圧入状態とし、前記Ｏリング１８と前記弁体９とは一体的に変位する様にする。
【００２０】
尚、前記封止スプリング１５に代え、圧縮コイルスプリングを前記庇部６と前記フランジ部１０間に挾設してもよい。又、前記弁体９自体をゴム等の弾力性のある材質とし、前記Ｏリング１８を省略してもよい。
【００２１】
本発明では、前記携帯用無線機１単体でも、簡単に水抜きができる。以下に、携帯用無線機１単体で水抜きを行う場合を説明する。
【００２２】
水抜きを行う場合には、細い棒状の部材、例えば、シャープペンシルの先端により、前記弁体９を内部に押込むと、前記Ｏリング１８が前記底面４ａから離反し、前記溝１３の上端部が携帯用無線機１の内部に入込み、該携帯用無線機１の内部と外部とが前記溝１３によって連通される。該溝１３は、流路として機能し、前記携帯用無線機１の内部に水がたまっていた場合は、前記溝１３、前記水抜き孔８を通って外部に排出される。
【００２３】
又、前記弁体９から押込み力を除去すると、前記封止スプリング１５により前記フランジ部１０が前記Ｏリング１８を介して前記底面４ａに押圧され、又前記水抜き孔８は水密に封止される。
【００２４】
次に、本発明に係る携帯用無線機１が通常の使用過程で水抜きが行われる場合を説明する。
【００２５】
図５〜図７は、前記携帯用無線機１が充電の為、充電器２１に装着された状態を示している。尚、図５〜図７中では、該充電器２１の内部については省略している。
【００２６】
該充電器２１の充電器筐体２２には、上方に向って開口し、前記携帯用無線機１が装着される凹部２３が形成され、該凹部２３の底面２３ａには抜き水排出部２４が設けられる。
【００２７】
図６、図７により該抜き水排出部２４について説明する。
【００２８】
前記底面２３ａには突起部２５が設けられ、該突起部２５の周囲には該突起部２５より低い小突起２６が設けられる。前記突起部２５は、前記携帯用無線機１が前記凹部２３に装着された状態で、前記水抜き孔８と中心線が合致する様になっており、前記突起部２５は前記弁体９に当接し、前記携帯用無線機１の自重で前記弁体９を押込む様になっている。
【００２９】
又、前記小突起２６は、粒状に複数、形成されてもよく、円環状に連なった突条であってもよい。又、円環突条の場合は、一部が欠切されている。前記小突起２６は前記携帯用無線機１が前記凹部２３に装着された状態で、前記筐体２の下端面と前記底面２３ａとの間に、少なくとも前記水抜き孔８の下端と前記底面２３ａとの間に間隙Ｇを形成するものである。
【００３０】
前記凹部２３の底部には排水路２７が設けられ、該排水路２７の上端は前記突起部２５の近傍に開口し、下端は前記充電器筐体２２の下面に開口しており、前記排水路２７は、前記充電器筐体２２を上下に貫通し、前記凹部２３は前記排水路２７を介して前記充電器筐体２２の下面側の外部と連通している。
【００３１】
図６は、前記携帯用無線機１が前記凹部２３に装着された状態の前記突起部２５と前記弁体９との関係を示している。
【００３２】
前記携帯用無線機１が自重で前記小突起２６に当接すると、前記突起部２５が前記水抜き孔８内に、嵌入し、前記弁体９を押込む。該弁体９が、前記突起部２５によって押込まれると、上記した様に、前記溝１３によって前記携帯用無線機１の内部と外部とが連通され、該携帯用無線機１の内部に溜っていた水２８は、前記溝１３、前記水抜き孔８を通って、前記凹部２３に流出し、更に前記排水路２７を通って前記充電器２１の外部に排出される。尚、前記凹部２３の底面２３ａは、排水が容易となる様その高さが前記突起部２５から前記排水路２７に向うに従って低くなる様に形成される。
【００３３】
而して、前記携帯用無線機１に浸入した水が、長時間該携帯用無線機１内部に滞留することなく、早期に、又確実に排出され、腐食による前記携帯用無線機１の故障を防止できる。
【００３４】
充電が完了して前記携帯用無線機１を前記充電器筐体２２から取外すと、前記封止スプリング１５の復元力により、前記弁体９が前記水抜き孔８を封止し、前記携帯用無線機１の防水機能が発揮される。
【００３５】
従って、前記携帯用無線機１を充電する度に、水抜き作業が合わせて実行され、通常の使用過程で、使用者が意識することなく、水抜きが行われる。
【図面の簡単な説明】
【００３６】
【図１】本発明の実施の形態に係る携帯用無線機の内部を省略した断面図である。
【図２】図１のＡ部の拡大断面図である。
【図３】前記携帯用無線機の水封バルブに用いられる弁体の斜視図である。
【図４】前記携帯用無線機の水封バルブに用いられる封止スプリングの斜視図である。
【図５】前記携帯用無線機を充電器筐体に装着した状態の、内部を省略した側断面図である。
【図６】図５のＢ部の拡大断面図である。
【図７】前記携帯用無線機を充電器筐体に装着した状態の、内部を省略した背断面図である。
【符号の説明】
【００３７】
１              携帯用無線機
２              筐体
４              底部
４ａ            底面
５              水封バルブ
６              庇部
８              水抜き孔
９              弁体
１０            フランジ部
１３            溝
１５            封止スプリング
１８            Ｏリング
２１            充電器
２２            充電器筐体
２３            凹部
２５            突起部
２６            小突起
２７            排水路
【図１】
2009182409.tif 000003
【図２】
2009182409.tif 000004
【図３】
2009182409.tif 000005
【図４】
2009182409.tif 000006
【図５】
2009182409.tif 000007
【図６】
2009182409.tif 000008
【図７】
2009182409.tif 000009